(57)【要約】【課題】ハウジングの通路の横断面における高さ寸法を抑えつつ、回転羽が開位置にあるときに、室内空間に空気を取り込むための流路を確保できる換気装置を提供する。【解決手段】室外空間３に向けて開口して設けられた流入口１３と、室内空間５に向けて開口して設けられた流出口１５と、流入口１３から流出口１５に至る通路１７とを有するハウジング１１を備える。通路１７内において回転することにより通路１７の開度を変更可能に設けられ、回転中心Ｒｃに対して通路１７内を流れる空気の向きに沿って延びる突出部２２が設けられた回転羽２１を備える。回転羽２１を挟んでハウジング１１との間に形成される流路１８、１９の少なくとも一方に設けられる絞り部２３を備える。【選択図】図２
2014137162.tif 000002
【特許請求の範囲】
【請求項１】
室外空間と室内空間との間を換気するための換気装置であって、
前記室外空間に向けて開口して設けられた流入口と、前記室内空間に向けて開口して設けられた流出口と、前記流入口から前記流出口に至る通路とを有するハウジングと、
前記通路内において回転することにより当該通路の開度を変更可能に設けられ、前記通路を開く開位置にあるときに、回転中心に対して前記通路内を流れる空気の向きに沿って延びる突出部が設けられた回転羽と、
前記回転羽を挟んで前記ハウジングとの間に形成される流路の少なくとも一方に設けられる絞り部と、を備えることを特徴とする換気装置。
【請求項２】
前記回転羽は、開位置にあるときに、その回転中心の下方に自重による重心が配置されるように構成されていることを特徴とする請求項１に記載の換気装置。
【請求項３】
前記ハウジングに対して回転自在に支持された回転軸と、
前記回転軸と前記回転羽とを連結する連結部材と、を更に備えることを特徴とする請求項１又は２に記載の換気装置。
【請求項４】
前記回転羽が前記通路を閉じる閉位置から開位置に向かう回転を規制する回転規制手段を更に備え、
前記回転羽は、開位置にあるときに、前記回転規制手段に対して下側から係合される係合部が設けられていることを特徴とする請求項１〜３のいずれかに記載の換気装置。
【請求項５】
前記回転羽が前記通路を閉じる閉位置にあるときに、前記回転羽の回転中心を通る軸線から離れた位置に設けられ、互いに対向する前記通路の内面の少なくとも一方と、前記回転羽との間に間隙が設けられるように構成されていることを特徴とする請求項１〜４のいずれかに記載の換気装置。
【請求項６】
前記流出口を開閉可能に設けられた開閉蓋を更に備えることを特徴とする請求項１〜５のいずれかに記載の換気装置。
【請求項７】
前記突出部は、前記回転羽の回転中心に対して前記通路の流入口側に向けて略水平に延びていることを特徴とする請求項１〜６のいずれかに記載の換気装置。
【請求項８】
室外空間と室内空間との間を換気するための換気装置であって、
前記室外空間に向けて開口して設けられた流入口と、前記室内空間に向けて開口して設けられた流出口と、前記流入口から前記流出口に至る通路とを有するハウジングと、
前記通路内において回転することにより当該通路の開度を変更可能に設けられ、前記通路を開く開位置にあるときに、回転中心に対して前記通路内を流れる空気の向きに沿って延びる突出部が設けられた回転羽と、
前記流入口から前記通路内に空気が通過したときに、前記回転羽を挟んで前記ハウジングとの間で形成される異なる流路間で圧力差を生じさせることにより、前記突出部を開位置から回転させる圧力差発生手段と、を備えることを特徴とする換気装置。
【発明の詳細な説明】
【技術分野】
【０００１】
本発明は、建物等の室外空間と室内空間との間を換気するために用いられる換気装置に関する。
【背景技術】
【０００２】
一般的に、高層建築物のような建物においては、高階層になるほど風が強いうえ、落下に対する安全性を配慮する観点から、窓を開閉することができない構造とされている。このため、窓を開閉しなくとも、室外空間と室内空間との間で換気することができるような換気装置の提案が望まれる。このような換気装置の一例としては、特許文献１に記載のものが知られている。
【０００３】
この換気装置は、室外空間から室内空間に向けて空気が通過する通路を有するハウジングと、ハウジングの通路内において回転自在に支持された回転羽とを備えている。この回転羽が回転することによってハウジング内の通路の開度が変更され、通路内を通過する空気の流量が調整可能とされている。これにより、室外空間から室内空間に空気を取り込みつつ、突風が吹いたときにはハウジング内の通路の開度が調整され、室内空間に不快な空気流が生じるのが抑えられる。
【先行技術文献】
【特許文献】
【０００４】
【特許文献１】特開２００８−２８６４４７号
【発明の概要】
【発明が解決しようとする課題】
【０００５】
ところで、建物の窓の採光性や建物自体の意匠性の観点からは、換気装置の高さ寸法を抑えることが要求されている。このためには、ハウジングの通路の横断面における高さ寸法を抑える必要がある。この一方で、回転羽が開位置にあるとき、室内空間に所望の流量の空気を取り込むためには、その通路の横断面において、通路の内面と回転羽と間に、その流量の空気を取り込むことができる流路を確保する必要がある。本発明者は、ハウジングの通路の横断面における高さ寸法を抑えつつ、回転羽が開位置にあるときに、室内空間に空気を取り込むための流路を確保できる構造について、改善の余地があると認識するに至った。
【０００６】
本発明は、こうした状況に鑑みてなされたものであり、その目的とするところは、ハウジングの通路の横断面における高さ寸法を抑えつつ、回転羽が開位置にあるときに、室内空間に空気を取り込むための流路を確保できる換気装置を提供することにある。
【課題を解決するための手段】
【０００７】
上記の課題を解決するために、本発明のある態様の換気装置は、室外空間と室内空間との間を換気するための換気装置であって、室外空間に向けて開口して設けられた流入口と、室内空間に向けて開口して設けられた流出口と、流入口から流出口に至る通路とを有するハウジングと、通路内において回転することにより通路の開度を変更可能に設けられ、通路を開く開位置にあるときに、回転中心に対して通路内を流れる空気の向きに沿って延びる突出部が設けられた回転羽と、回転羽を挟んでハウジングとの間に形成される流路の少なくとも一方に設けられる絞り部と、を備える。
【０００８】
また、本発明のある態様の換気装置は、室外空間と室内空間との間を換気するための換気装置であって、室外空間に向けて開口して設けられた流入口と、室内空間に向けて開口して設けられた流出口と、流入口から流出口に至る通路とを有するハウジングと、通路内において回転することにより通路の開度を変更可能に設けられ、通路を開く開位置にあるときに、回転中心に対して通路内を流れる空気の向きに沿って延びる突出部が設けられた回転羽と、流入口から通路内に空気が通過したときに、回転羽を挟んでハウジングとの間で形成される異なる流路間で圧力差を生じさせることにより、突出部を開位置から回転させる圧力差発生手段と、を備える。
【発明の効果】
【０００９】
本発明に係る換気装置によれば、ハウジングの通路の横断面における高さ寸法を抑えつつ、回転羽が開位置にあるときに、室内空間に空気を取り込むための流路を確保することができる。
【図面の簡単な説明】
【００１０】
【図１】本発明の一実施形態に係る換気装置が取り付けられるカーテンウォールの構成を示す正面図である。
【図２】本発明の一実施形態に係る換気装置の構成を示す側面断面図である。
【図３】本発明の一実施形態に係る換気装置の構成を示す平面断面図である。
【図４】回転羽の回転中心と回転羽の自重による重心との位置関係について説明するための説明図である。
【図５】回転羽が閉位置から開位置に回転移動して、第１の回転ストッパに対して回転羽の係合部が係合したときの状態を模式的に示す説明図である。
【図６】本発明の一実施形態に係る換気装置の開閉蓋により流出口を閉じた状態を示す側面断面図である。
【発明を実施するための形態】
【００１１】
図１は、本発明の一実施形態に係る換気装置１が取り付けられるカーテンウォール７１の構成を示す正面図である。図２は、本発明の一実施形態に係る換気装置１の構成を示す側面断面図であり、図３は、その平面断面図である。
【００１２】
換気装置１は、図２に示すように、建物７等の壁により仕切られた室外空間３と室内空間５との間を換気するために用いられる。本実施形態において、換気装置１は、建物７の床、梁等の躯体に取り付けられた壁としてのカーテンウォール７１に取り付けられる。
【００１３】
図１に戻り、カーテンウォール７１は、例えば、複数の枠部材を矩形状に枠組みして構成された枠体７２と、枠体７２の内側に嵌め込まれたガラス板７３とを備える。カーテンウォール７１は、換気装置１の取り付け位置において、上下に間隔を空けて設けられた一対の換気装置用横枠７２ａを備えている。換気装置１は、その一対の換気装置用横枠７２ａに取り付けられる。
【００１４】
換気装置１は、図２に示すように、ハウジング１１と、回転羽２１と、第１の回転ストッパ４１と、第２の回転ストッパ４３と、開閉蓋５１と、を備えている。
【００１５】
ハウジング１１は、図２、図３に示すように、例えば、上下に間隔を空けて配置された上部フレーム１１Ａと下部フレーム１１Ｂと、上部フレーム１１Ａ及び下部フレーム１１Ｂの左右方向両側の側部に接続された側部フレーム１１Ｃとを備えている。ハウジング１１は、これら上部フレーム１１Ａ、下部フレーム１１Ｂ及び側部フレーム１１Ｃにより箱状に形成されている。ハウジング１１は、一対の換気装置用横枠７２ａの室内側側面に対してビス等の固定具６１により固定して取り付けられる。
【００１６】
ハウジング１１は、図２に示すように、室外空間３に開口して設けられた流入口１３と、室内空間５に開口して設けられた流出口１５と、流入口１３から流出口１５に至る通路１７とを有している。これら流入口１３、流出口１５及び通路１７は、上部フレーム１１Ａ、下部フレーム１１Ｂ及び側部フレーム１１Ｃの内側に形成されている。本実施形態において、流入口１３は水平方向に開口して設けられ、流出口１５は鉛直方向上側に向けて開口して設けられているが、その開口する方向について限定するものではない。
【００１７】
回転羽２１は、通路１７内においてハウジング１１に対して回転自在に支持されている。回転羽２１は、その回転中心Ｒｃを通る軸線が、ハウジング１１の流入口１３から流出口１５に向けて空気が流れる方向と交差するように略水平に設けられている。回転羽２１は、回転することによりハウジング１１内の通路１７の開度を変更可能に設けられ、これにより、通路１７内を通過する空気の流量を調整可能となる。回転羽２１は、後述のように、通路１７内を通過する空気の風速が遅いとき、通路１７を開く開位置で静止し、通路１７内を通過する空気の風速が早いとき、通路１７を閉じる閉位置まで回転して静止する。
【００１８】
本実施形態において、換気装置１は、図３に示すように、通路１７内においてハウジング１１に対して回転自在に回転羽２１を支持させるための構成として、受け部材３１と、回転軸３２と、連結部材３３とを備えている。
【００１９】
受け部材３１は、通路１７内において、ハウジング１１の左右方向両側の側部フレーム１１Ｃに対して、ビス等の固定具６２により固定されている。回転軸３２は、受け部材３１の軸受け孔内に挿通されており、ハウジング１１に対して回転自在に支持されている。連結部材３３は、例えば、回転軸３２に対して溶接等により固定された軸側固定部３３ａと、回転羽２１の上面に対してビス等の固定具６３により固定された羽側固定部３３ｂとを備え、回転軸３２と回転羽２１とを連結している。回転羽２１は、回転軸３２に対して連結部材３３を介して連結されることにより、通路１７内においてハウジング１１に対して回転自在に支持される。なお、このとき、回転羽２１の回転中心Ｒｃは回転軸３２の回転中心と一致することになる。
【００２０】
図２に戻り、回転羽２１は、突出部２２と、絞り部２３と、中空部２４と、係合部２５とを備えている。回転羽２１は、アルミニウム等の金属材料を素材とした押出成形等をすることにより成形され、各部位が一体に設けられているが、別々の部材を組み合わせて構成されていてもよい。
【００２１】
回転羽２１の突出部２２は、回転羽２１が開位置にあるときに、回転中心Ｒｃに対して通路１７内を流れる空気の向き（例えば、水平方向）に沿って延びて設けられている。また、突出部２２は、回転羽２１が開位置にあるときに、流入口１３側から流出口１５側にかけての通路１７内の空気の流れを遮らないように延びている。回転羽２１は、通路１７内を流れる空気を突出部２２により受けなくとも開位置から回転できるように絞り部２３が設けられている。本実施形態において、突出部２２は、流入口１３が水平方向に開口しており、その突出部２２が設けられた位置において通路１７内を略水平に空気が流れることから、その空気の流れる向きに沿うように略水平に延びて設けられている。突出部２２は平板状に形成されている。以下においては、回転羽２１の回転中心Ｒｃに対して突出部２２が延びている方向を回転羽２１の前側とし、その逆方向を回転羽２１の後側として説明する。
【００２２】
回転羽２１の絞り部２３は、回転羽２１の前後方向の中間位置において、回転羽２１の下方に向けて突出するように設けられている。絞り部２３は、回転羽２１の前側から後側に向かうにつれて、ハウジング１１の通路１７の下面１７ａに対して徐々に近づくような円弧状にその下面が形成され、例えば、中空筒状に設けられている。回転羽２１の中空部２４は、絞り部２３の上面から連続した円弧状面が形成されるようにその上面が形成され、中空筒状に設けられている。回転羽２１の係合部２５は、回転羽２１の後端部において、上方に向けて突出するように設けられている。
【００２３】
回転羽２１の突出部２２は、第１の回転ストッパ４１によって、その回転が規制され、回転羽２１が開位置に保持される。回転羽２１の突出部２２は、開位置から回転したとき、第２の回転ストッパ４３によって、その回転が規制され、回転羽２１が閉位置に保持される。図２においては、回転羽２１が閉位置にあるときの状態を二点鎖線で示している。
【００２４】
回転羽２１が開位置にあるとき、ハウジング１１の通路１７が回転羽２１により仕切られることによって、回転羽２１を挟んでハウジング１１との間に、第一流路１８と第二流路１９との異なる流路が形成される。本実施形態において、第一流路１８は、回転羽２１の下面とハウジング１１の通路１７の下面１７ａとにより形成される。第二流路１９は、回転羽２１の上面とハウジング１１の通路１７の上面１７ｂとにより形成される。
【００２５】
絞り部２３は、回転羽２１の下側の第一流路１８中に設けられている。本実施形態において、絞り部２３は、回転羽２１に設けられているが、ハウジング１１の通路１７の内面である下面１７ａに設けられていてもよい。この場合、ハウジング１１の通路１７の下面１７ａは、回転羽２１が開位置にあるときに、第一流路１８の流入口１３側から流出口１５側に向かう中間位置において、その下面１７ａの一部が回転羽２１に向けて突出するように設けられることになる。
【００２６】
絞り部２３は、第一流路１８を通過する空気の抵抗として機能し、第一流路１８を通過する空気の流速は、第二流路１９を通過する空気の流速よりも遅くなる。この結果、ハウジング１１の流入口１３から通路１７内に空気が通過したときに、第二流路１９の圧力が第一流路１８の圧力より小さくなり、第二流路１９と第一流路１８との間で圧力差が生じる。そして、回転羽２１の突出部２２に対して閉位置に向かう力が圧力差により作用し、突出部２２が開位置から回転し始める。
【００２７】
このように絞り部２３は、第一流路１８と第二流路１９とで圧力差を生じさせることにより、突出部２２を開位置から回転させる圧力差発生手段として設けられる。回転羽２１の突出部２２に作用する圧力差により、回転羽２１が開位置から回転可能となるように、第一流路１８は、その途中に絞り部２３が設けられることによって、その断面形状が調整される。この断面形状は、第一流路１８の流入口１３側の断面積に対して、その絞り部２３の位置での断面積が小さくなるように調整される。この断面積の比が大きくなるほど、突出部２２に作用する圧力差が増大し、回転羽２１が開位置から回転しやすくなる。
【００２８】
また、回転羽２１の突出部２２は、回転羽２１を開位置から回転させるための圧力差による力を受ける部位として機能している。突出部２２は、回転羽２１が開位置にあるときに、その回転中心Ｒｃから通路１７内を流れる空気の向きに沿って延びる長さが長くなるほど、圧力差による力により開位置から回転し易くなる。突出部２２は、圧力差による力によって開位置から回転可能となるように、その回転中心Ｒｃから通路１７内を流れる空気の向きに沿って延びる長さが調整される。
【００２９】
図４は、回転羽２１の回転中心Ｒｃと回転羽２１の自重による重心Ｇｃとの位置関係について説明するための説明図である。図４（ａ）は回転羽２１が開位置にあるときの状態を示し、図４（ｂ）は回転羽２１が開位置から閉位置に回転したときの状態を示す。
【００３０】
回転羽２１は、図４（ａ）に示すように、開位置にあるとき、その自重による重心Ｇｃが回転中心Ｒｃに対して下方に設けられる。この理由について説明する。図４（ｂ）に示すように、回転羽２１が開位置から回転したとき、回転羽２１の重心Ｇｃが回転中心Ｒｃに対して同一高さとなるまでの回転量の範囲内であれば、その回転量が増加するほど、回転中心Ｒｃから重心Ｇｃまでの水平距離Ｌｈが長く成る。重心Ｇｃに対する重力により回転中心Ｒｃ周りに作用する曲げモーメントＭは、この回転中心Ｒｃから重心Ｇｃまでの水平距離Ｌｈが長くなるほど増加することになる。また、この曲げモーメントＭは、回転羽２１に対して開位置に向かう付勢力として作用することになる。したがって、回転羽２１の回転量が増加するほど、回転羽２１に対して開位置に向かう付勢力、換言すると、回転羽２１の回転抵抗が増大することになる。
【００３１】
ここで、本実施形態に係る換気装置１は、図２に示すように、回転軸３２に対して回転羽２１が連結部材３３により連結されている。このため、この連結部材３３の長さや、回転羽２１に対する連結部材３３の固定位置等を調整することによって、回転羽２１の回転中心Ｒｃと、回転羽２１の自重による重心Ｇｃとの位置関係を自由に調整することができる。これは、回転羽２１が回転するときの回転中心Ｒｃから重心Ｇｃまでの水平距離Ｌｈを自由に調整できることを意味しており、これにより、回転羽２１の回転抵抗を調整するうえでの設計の自由度が向上する。
【００３２】
回転羽２１の係合部２５は、回転羽２１が開位置にあるときに、第１の回転ストッパ４１に対して下側から係合し、回転羽２１の突出部２２の回転が規制される。これにより、以下に説明するように、回転羽２１の回転動作に伴う騒音が軽減される。
【００３３】
図５は、回転羽２１が閉位置から開位置に回転移動して、第１の回転ストッパ４１に対して回転羽２１が係合したときの状態を模式的に示す説明図である。図５（ａ）は、回転羽２１が第１の回転ストッパ４１に対して上側から係合したときの状態を示し、図５（ｂ）は、そのときの回転軸３２と受け部材３１の軸受け孔３１ａとの関係を示している。図５（ｃ）は、回転羽２１の係合部２５が第１の回転ストッパ４１に対して下側から係合したときの状態を示し、図５（ｄ）は、そのときの回転軸３２と受け部材３１の軸受け孔３１ａとの関係を示している。
【００３４】
回転軸３２と受け部材３１の軸受け孔との間には、一般的に、隙間としてのクリアランス３１ｂが設けられている。このため、図５（ａ）、（ｂ）に示すように、閉位置から開位置に向けて回転羽２１が急に回転移動したとき、回転羽２１が第１の回転ストッパ４１に対して上側から係合すると、その係合箇所を回転支点として回転羽２１が回転しようとする。この結果、受け部材３１の軸受け孔３１ａ内で回転軸３２が跳ねるように動いてしまい、回転軸３２と軸受け孔３１ａとが接触することにより騒音が発生してしまう。これに対して、図５（ｃ）、（ｄ）に示すように、回転羽２１の係合部２５が第１の回転ストッパ４１に対して下側から係合すると、受け部材３１の軸受け孔内での回転軸３２の跳ね動きが抑えられ、騒音が軽減される。
【００３５】
図２、図３に戻り、第１の回転ストッパ４１は、回転羽２１の後方において、ハウジング１１の左右方向両側の側部フレーム１１Ｃに対して、ビス等の固定具６４により固定された棒状部材から構成されている。第１の回転ストッパ４１は、回転羽２１が開位置にあるときに、回転羽２１の突出部２２の閉位置から開位置に向かう回転を規制する第１の回転規制手段として設けられている。第１の回転ストッパ４１の代替として、回転羽２１が、ハウジング１１の通路１７の内面である上面１７ｂや下面１７ａに対して係合して、その回転が規制されるようにしてもよい。
【００３６】
第２の回転ストッパ４３は、回転羽２１の上方において、ハウジング１１の左右方向両側の側部フレーム１１Ｃに対して、ビス等の固定具６５により固定された棒状部材から構成されている。第２の回転ストッパ４３は、回転羽２１の突出部２２の開位置から閉位置に向かう回転を規制する第２の回転規制手段として設けられている。この第２の回転規制手段としての第２の回転ストッパ４３は設けられていなくともよい。第２の回転ストッパ４３の代替として、回転羽２１が、ハウジング１１の通路１７の内面である上面１７ｂや下面１７ａに対して係合して、その回転が規制されるようにしてもよい。
【００３７】
図６は、換気装置１の開閉蓋５１により流出口１５を閉じた状態を示す側面断面図である。開閉蓋５１は、ハウジング１１の流出口１５を開閉可能に設けられている。開閉蓋５１は、下部フレーム１１Ｂの上部において、下部フレーム１１Ｂに対してピン５２を介して回転自在に取り付けられている。開閉蓋５１は、ピン５２周りに回転移動させることにより、ハウジング１１の流出口１５を閉じる閉蓋位置と、流出口１５を開く開蓋位置との間を移動でき、これにより流出口１５を開閉可能とされている。開閉蓋５１は、手動、電動の何れにより開閉操作が行われてもよい。
【００３８】
ハウジング１１は、流出口１５の上側縁部に設けられた弾性体からなる環状シール５３を備えている。環状シール５３は、開閉蓋５１が流出口１５を閉じる閉蓋位置にあるとき、開閉蓋５１とハウジング１１との間に挟み付けられ、開閉蓋５１とハウジング１１との間のシール性が高められる。
【００３９】
なお、ハウジング１１は、図２に示すように、回転羽２１が閉位置にあるとき、回転羽２１の回転中心Ｒｃを通る軸線から離れた位置に設けられ、互いに対向する通路１７の内面である上面１７ｂ、下面１７ａと、その回転羽２１との間に、間隙１６ａ、１６ｂが設けられるように構成されている。この通路１７の内面である上面１７ｂ、下面１７ａは、回転中心Ｒｃを通る軸線を間に挟んで対向している。
【００４０】
本実施形態においては、回転羽２１が閉位置にあるとき、回転羽２１の突出部２２の先端部と、ハウジング１１の通路１７の上面１７ｂとの間に間隙１６ａが設けられている。また、回転羽２１の下面と、ハウジング１１の通路１７の下面１７ａとの間に間隙１６ｂが設けられている。これにより、回転羽２１が閉位置にあるときでも、ハウジング１１の左右方向に亘る広い範囲において、その間隙１６ａ、１６ｂを空気が通過して換気され、室内空間５の環境が快適なものとなる。なお、この間隙１６ａ、１６ｂは、対向する通路１７の内面である上面１７ｂ、下面１７ａの少なくとも一方と、回転羽２１との間で設けられていればよい。
【００４１】
また、ハウジング１１は、図３に示すように、例えば、回転羽２１の左右の両側において、ハウジング１１との間に側部間隙１６ｃが設けられるように構成されている。これにより、回転羽２１が閉位置にあるときでも、ハウジング１１の左右両側において、その側部間隙１６ｃを空気が通過して換気され、室内空間５の環境が快適なものとなる。なお、側部間隙１６ｃは、回転羽２１の左右の両側に限らず、左右のいずれか一方側にのみ設けられていてもよい。
【００４２】
また、ハウジング１１は、図２に示すように、その流出口１５の通路１７側の縁部であって、流入口１３側に位置する縁部１５ａが面取りされて形成されている。これにより、ハウジング１１の流入口１３から流出口１５に向けて通過する空気の流路が大きくなり、室内空間５に取り込める流量を増大させることができる。
【００４３】
以上のように構成される換気装置１の動作について説明する。換気装置１により室内空間５と室外空間３との間で換気を行う場合、換気装置１の流出口１５が開かれるように開閉蓋５１を開蓋位置にまで移動させておく。
【００４４】
室外空間３から室内空間５に向けて通路１７内を通過する空気の風速が遅いとき、回転羽２１は開位置において停止したままとなる。このとき、ハウジング１１の通路１７の開度が最大となり、室外空間３から室内空間５に取り込まれる空気の流入量を風速に対して大きくすることができる。
【００４５】
回転羽２１は、例えば、３ｍ／秒のように、予め定められた下限風速を超えた風速の空気が通路１７内を通過するとき、開位置から閉位置に向けて回転しはじめる。このような風速の空気が通路１７内を通過するときに回転羽２１が回転しはじめるように、ハウジング１１の通路１７、第一流路１８、第二流路１９、絞り部２３、回転羽２１の形状や、回転羽２１の重さ等が調整される。
【００４６】
回転羽２１は、開位置から閉位置に向けて回転するまでの間、主として、回転羽２１に作用する開位置に向かう付勢力と、回転羽２１の突出部２２に空気が押し当たる力と、圧力差により生じる力とが釣り合う位置で、その回転が停止する。このため、ハウジング１１の通路１７内を通過する空気の風速が大きくなると、回転羽２１の突出部２２に対して空気が押し当たる力が大きくなる。回転羽２１は、その空気の押し当たる力と付勢力等とが釣り合う位置に移動するまで、閉位置に向けて回転して停止する。また、ハウジング１１の通路１７内を通過する空気の風速が小さくなると、回転羽２１の突出部２２に対して空気が押し当たる力が小さくなる。回転羽２１は、その空気の押し当たる力と付勢力等とが釣り合う位置に移動するまで、開位置に向けて回転して停止する。
【００４７】
回転羽２１が開位置から閉位置に向けて回転するまでの間は、ハウジング１１の通路１７の開度が風速に応じて増減し、その開度に応じた流入量の空気が室内空間５に取り込まれる。ハウジング１１の通路１７の開度は、風速が強くなるほど狭くなり、室外空間３から室内空間５に取り込まれる空気の流入量が風速に対して抑えられる。
【００４８】
回転羽２１は、例えば、１０ｍ／秒〜２０ｍ／秒のように、予め定められた上限風速より早い風速の空気が通路１７内を通過するとき、閉位置において静止したままとなる。このとき、ハウジング１１の通路１７の開度が最小となり、室外空間３から室内空間５に取り込まれる空気の流入量が風速に対して大きく抑えられる。これにより、室内空間５において不快な空気流が生じるのを抑え、風速によらず快適な室内環境が得られる。
【００４９】
なお、室外空間３と室内空間５との間で換気を行わない場合、換気装置１の流出口１５が閉じられるように開閉蓋５１を閉蓋位置にまで移動させておく。このように、開閉蓋５１があることによって、換気装置１の利用者が換気の有無を任意で切り替えられる。また、開閉蓋５１を手動により開閉操作するときは、停電時においても換気の有無を切り替えられる。
【００５０】
本実施形態に係る換気装置１によれば、回転羽２１が開位置にあるとき、回転羽２１を回転させるための突出部２２が、回転中心Ｒｃに対して通路１７内を流れる空気の向きに沿って延びて設けられている。このため、ハウジング１１の通路１７の横断面において、回転羽２１が通路１７の高さ方向に延びていない分、回転羽２１の高さ寸法を抑え、通路１７の横断面の高さ寸法を抑えることができる。また、通路１７の横断面の高さ寸法を抑えつつも、回転羽２１が開位置にあるとき、室内空間５に所望の流量の空気を取り込むことができる高さ寸法の流路１８、１９を、通路１７の内面と回転羽２１との間に確保できる。また、回転羽２１の突出部２２が略水平に延びた通路１７中に略水平に延びて設けられている場合、通路１７の横断面の高さ寸法を抑えることによって、換気装置１の高さ寸法を抑えることができる。更に、換気装置１を小型化することによりコストダウンが図られる。
【００５１】
また、換気装置１の第一流路１８中に絞り部２３が設けられているため、回転羽２１に対して風を押し当てる力を利用することなく、回転羽２１の突出部２２に対して圧力差による力を作用させて開位置から回転させることができる。このため、回転羽２１を回転させるための突出部２２が通路１７内を流れる空気の向きに沿って延びて設けられていても、回転羽２１を開位置から回転させることができる。
【００５２】
また、回転羽２１を開位置に戻すうえで、回転羽２１の回転中心と重心との位置関係に基づき作用する付勢力を利用しているため、回転羽２１を開位置に戻すために錘やモーターが不要となり、部材数の削減によりコストダウンが図られる。また、回転羽２１を開位置に戻すために錘が不要であるため、回転羽２１の回転軸３２が回転動作することによって、受け部材３１との間で生じる摩耗が抑えられる。
【００５３】
以上、実施の形態に基づき本発明を説明したが、実施の形態は、本発明の原理、応用を示しているにすぎない。また、実施の形態には、請求の範囲に規定された本発明の思想を逸脱しない範囲において、多くの変形例や配置の変更が可能である。
【００５４】
上述の実施形態においては、本発明に係る換気装置１を建物７に適用した例を示したが、トンネル等の土木構造物に適用されていてもよい。
【００５５】
また、上述の実施形態においては、回転羽２１と回転軸３２とが連結部材３３により連結されて同軸上に連続して配置されないように構成された例を示した。変形例においては、連結部材３３を設けないこととして回転羽２１と回転軸３２とが同軸状に連続して配置されていてもよい。
【００５６】
また、上述の実施形態においては、絞り部２３のような圧力差発生手段が第一流路１８中に設けられた例を示したが、圧力差発生手段は第二流路１９中に設けられていてもよい。この場合、閉位置から開位置に向けて回転羽２１を回転させるうえでは、公知の錘等の付勢手段により開位置に向かう付勢力を回転羽２１に作用させることとしてよい。
【００５７】
また、上述の実施形態においては、回転羽２１が開位置にあるときに、回転羽２１の突出部２２が略水平に延びた通路１７中に略水平に延びて設けられている場合を説明した。変形例においては、略鉛直に空気が流れるような略鉛直に延びた通路１７中に、回転羽２１の突出部２２が略鉛直に延びて設けられていてもよい。この変形例においては、回転羽２１の突出部２２が設けられた位置において、通路１７内を略鉛直に空気が流れることから、突出部２２もその空気の流れに沿って略鉛直に延びて設けられる。
【符号の説明】
【００５８】
１：換気装置  ３：室外空間  ５：室内空間  １１：ハウジング  １３：流入口  １５：流出口  １７：通路  １８：第一流路  １９：第二流路  ２１：回転羽  ２２：突出部  ２３：絞り部  ２５：係合部  ３１：軸受け  ３２：回転軸  ３３：連結部材  ４１：第１の回転ストッパ  ４３：第２の回転ストッパ  ５１：開閉蓋  Ｒｃ：回転中心  Ｇｃ：重心
【図１】
2014137162.tif 000003
【図２】
2014137162.tif 000004
【図３】
2014137162.tif 000005
【図４】
2014137162.tif 000006
【図５】
2014137162.tif 000007
【図６】
2014137162.tif 000008